(57)【要約】  【課題】タオルなどの繊維シートを簡単な動作で着脱でき、また、容易に落とすことがなく、保持できるような器具を提供することを課題とする。  【解決手段】繊維シート吊下げ具として板状の本体部と、前記本体部に設けられる貫通孔と、前記貫通孔の内部に設けられる、前記貫通孔の面する方向に屈曲可能な弾性体の板体からなる繊維シート固定部と、前記本体部に固定される本体を吊下げるための吊下げ部材とを有し、繊維シート固定部を設ける。このような構成により、貫通孔部分に繊維シートを押し込むことで、繊維シートを固定するようにする。【選択図】  図１
2008104490.tif 000002
【特許請求の範囲】
【請求項１】
板状の本体部と、
前記本体部に設けられる貫通孔と、
前記貫通孔の内部に設けられる、前記貫通孔の面する方向に屈曲可能な弾性体の板体からなる繊維シート固定部と、
前記本体部に固定される本体を吊下げるための吊下げ部材と
からなる繊維シート吊下げ具。
【請求項２】
前記繊維シート固定部は、前記貫通孔を塞ぐ弾性体の板体に放射状に切れ込みを設けることで形成される請求項１に記載の繊維シート吊下げ具。
【発明の詳細な説明】
【技術分野】
【０００１】
本発明はタオル、ハンカチなどの繊維により形成されるシート体を吊下げる器具に関する。
【背景技術】
【０００２】
タオルなどの繊維シート体は、直ぐに使える状態で持っておく場合が少なからずある。例えば、ウォーキング、ランニング、山登り、釣り、ゴルフなどのスポーツ・レジャー時や、コック等の調理人、現場作業員などは汗を拭くために、首に巻いたり、腰のベルトやポケットに挟んだりして、タオルや手ぬぐいを保持することが多い。また、クラブやフィットネスクラブなどでダンスをする際には、腰からタオルやバンダナを下げるファッションスタイルが流行している。さらに、乳児をベビーカーに乗せているときのヨダレ拭きとして、ベビーカーの手すりなどに縛って保持する場合もある。
【発明の開示】
【発明が解決しようとする課題】
【０００３】
しかし、タオルや手ぬぐいを腰からぶら下げたり、首にまいたり、ベビーカーなどに縛って保持すると誤って落としてしまったり、作業するのに邪魔になったりするという問題がある。また、このような保持の仕方は、見た目が少々不細工に見える場合も多い。
本発明は、このような状況に鑑みて、タオルなどの繊維シートを簡単な動作で着脱できて容易に落とすことがなく、さらに、装飾性も有する器具を提供することを課題とする。
【課題を解決するための手段】
【０００４】
上記課題を解決するために、本発明は次のような構成を有する。
請求項１に記載の発明は、板状の本体部と、前記本体部に設けられる貫通孔と、前記貫通孔の内部に設けられる、前記貫通孔の面する方向に屈曲可能な弾性体の板体からなる繊維シート固定部と、前記本体部に固定される本体を吊下げるための吊下げ部材とからなる繊維シート吊下げ具である。なお、吊下げ部材は、ベルト通し、棒体などに吊下げることができるものであれば足り、キーホルダー用のフック、カラビナリング、ボールチェーン、鉤型のフックなど種々の部材が例示される。
請求項２に記載の発明は、前記繊維シート吊下げ具において、前記繊維シート固定部は、前記貫通孔を塞ぐ弾性体の板体に放射状に切れ込みを設けることで形成されるものである。
【発明の効果】
【０００５】
請求項１に記載の発明は、本体部を吊下げ部材によってズボンのベルト通しなどに吊下げて、本体部の貫通孔に繊維シートを押込むことで、弾性体からなる繊維シート固定部が押込まれた方に折り曲げられ、これが戻る力によって繊維シートが挟まれて固定されるので、容易に脱落することがなく、また、簡易に繊維シートを固定することができる。また、取り出す際には、押込んだ反対側から引っ張ることで簡単に抜き取ることができ繊維シートの取り外しも簡易に行うことができる。さらに、板状の本体部は種々のデザインが可能であり装飾性も高めることができる。
請求項２に記載の発明は、繊維シート固定部を弾性部材に板体に放射状に切れ込みを設けることで形成したので、製造が容易であり、また、繊維シートが周囲から力を受けて挟まれるので、確実に繊維シートを固定することができる。
【発明を実施するための最良の形態】
【０００６】
以下、本発明の実施の形態について、図面を参照しながら説明する。
図１に本実施形態に係る繊維シート吊下げ具Ｘの正面図を示し、図２に繊維シート吊下げ具Ｘの背面図を示し、図３に図１のＡ−Ａ断面図を示す。繊維シート吊下げ具Ｘは、本体部１０、繊維シート固定部２０、吊下げ部３０とから構成される。
【０００７】
本体部１０は、下方が丸く上方が台形状に形成された２枚の皮でできた表板１１、裏板１２を重ねて縫い合わせることで形成される。表板１１、裏板１２には、それぞれ中心下方よりの相対する位置に円形の貫通孔１１ａ、１２ａが形成されている。また、表板１１、裏板１２の上方には、それぞれスリット状の孔１１ｂ、１２ｂが形成されている。
【０００８】
繊維シート固定部２０は、弾性力のある合成樹脂により形成されるものであって、前記貫通孔１１ａに係合する扁平な円筒体２１の一方の縁部にフランジ２２が設けられており、円筒体２１の内部には、中心から放射状に配列される同じ曲率を有する曲線に沿って切れ込みが入れられることで構成される狭持部２３が形成されている。繊維シート固定部２０は円筒体２１部分が貫通孔１１ａに係合するとともに、フランジ２２が本体部１０の表板１１、裏板１２に挟まれ縫い合わされることで本体部１０に固定される。これにより、繊維シート固定部２０の中心部には、貫通孔に面する方向に屈曲可能な板体が内側に向って円形に配列されることとなる。
【０００９】
吊下げ部３０は、カラビナリング３１とベルト部３２とから構成される。カラビナリング３１は市販のものであり、上部の円弧状部分を開くことでリングを開放し、円弧状部分を閉じることでリングを閉じることができる。ベルト部３２は、皮製の帯状部材からなり、カラビナリング３１を本体部１０に固定する。即ち、カラビナリング３１に掛けたベルト部３２の両端を本体部１０のスリット状の孔１１ｂ、１２ｂに外側から通し、前面と背面からリベット３２ａで本体部１０に固定することで、カラビナリング３１は本体部１０に吊下げ可能に固定される。
【００１０】
次に、以上のような構成を有する繊維シート吊下げ具Ｘの使用方法について説明する。使用者は、カラビナリング３１をベルト通し等適当な位置に固定する。次に、タオルなどの繊維シートを先端を細くまとめて繊維シート固定部２０の狭持部２３を押し分けるようにして貫通孔１１ａ、１１ｂから押し入れる。これにより、図４のような状態となる。この状態において、狭持部２３を構成する板状体は、押込まれた方向に屈曲するとともに、弾性力により元に戻ろうとする結果、周囲から繊維シートＰを狭持固定することとなる。この状態において、繊維シートＰを貫通孔に挿入した側に引き抜こうとすると狭持部２３を構成する板状体同士が引っ張られてより狭持力が強くなり、容易には引き抜くことができない。逆に、繊維シートを押込んだ方向へ引く抜く場合は、狭持体２３を構成する板状体同士が広がる方向に力が加わるので、スムーズに繊維シートＰを引き抜くことができる。
【００１１】
このように繊維シート吊下げ具Ｘは、繊維シートを種々のもの吊下げることができるとともに、繊維シートを簡易に装着でき、繊維シートの挿入量を適当なものとしておけば脱落することはほとんどなく、また、簡易に繊維シートを取り外すことができる。従って、コンサートなどのイベントにおいて繊維シート吊下げ具Ｘをベルト通しなどに吊下げていれば、イベント用タオルなどを簡単かつファッショナブルに身につけることができ紛失の恐れも軽減する。また、ベビーカーなどに繊維シート吊下げ具Ｘを吊下げてタオルを装着しておけば、赤ちゃんのよだれ拭き、鼻拭きの際に片手でタオルをとり片手でタオルを装着することができる。さらに、ハイキングや夜間のウォーキングなどの際に腰や、カバンに繊維シート吊下げ具Ｘを吊下げておくと必要な時にすぐにタオルを使用することができ、邪魔にならない。
なお、上記実施形態において、本体部には、反射材を表面に設けるようにしてもよい。このように反射材を設けることで、夜間の視認性が向上し夜間のウォーキングなどの安全性を向上させることができる。
【図面の簡単な説明】
【００１２】
【図１】実施形態に係る繊維シート吊下げ具の正面図である。
【図２】実施形態に係る繊維シート吊下げ具の背面図である。
【図３】図１のＡ−Ａ断面図である。
【図４】実施形態に係る繊維シート吊下げ具の使用状態を示す斜視図である。
【符号の説明】
【００１３】
X    繊維シート吊下げ具
Ｐ    繊維シート
１０  本体部
１１ａ、１１ｂ  貫通孔
２０  繊維シート固定部
３０  吊下げ部
【図１】
2008104490.tif 000003
【図２】
2008104490.tif 000004
【図３】
2008104490.tif 000005
【図４】
2008104490.tif 000006